(57)【特許請求の範囲】
【請求項１】
ヘッドボックス（１０）内で回転自在に支持される巻取ドラム（１４、２４、３４、４４、５４、６４）に昇降コード（１６、６６）の一端が連結され、ブラインド本体を昇降するべく巻取ドラム（１４、２４、３４、４４、５４、６４）の回転により昇降コード（１６、６６）を巻取ドラム（１４、２４、３４、４４、５４、６４）の周面に巻取り及び巻解きするようにしたブラインド用巻取装置において、
前記昇降コード（１６、６６）の一端には膨大部（１６ａ、６６ａ）が設けられており、
前記巻取ドラム（１４、２４、３４、４４、５４、６４）の周面には、前記膨大部（１６ａ、６６ａ）が通過可能な開口（１４ｃ、２４ｃ、３４ｃ、４４ｃ、５４ｃ、６４ｃ）と、該開口（１４ｃ、２４ｃ、３４ｃ、４４ｃ、５４ｃ）と連通し、且つ膨大部（１６ａ）が通過不能で膨大部（１６ａ）ではない昇降コード（１６）の非膨大部（１６ｂ）が通過可能なスリット（１４ｄ、２４ｄ、３４ｄ、４４ｄ、５４ｄ）と、からなる連結手段が形成され、
前記膨大部（１６ａ）がスリット（１４ｄ、２４ｄ、３４ｄ、４４ｄ、５４ｄ）に係止されることで昇降コード（１６）が巻取ドラム（１４、２４、３４、４４、５４）に連結され、
前記連結手段によって巻取ドラム（１４、２４、３４、４４、５４、６４）に対してその周面側からまたは径方向の操作により連結・連結解除を行うことができることを特徴とするブラインド用巻取装置。
【請求項２】
前記開口（１４ｃ）を覆うべく、巻取ドラム（１４）の外周側に前記開口（１４ｃ）を覆う係合部材（１８）が着脱可能に装着されることを特徴とする請求項１記載のブラインド用巻取装置。
【請求項３】
前記開口（４４ｃ）を覆うべく、巻取ドラム（４４）の外周側に前記開口（４４ｃ）を覆う係合部材（４８）がスライド可能に装着されることを特徴とする請求項１記載のブラインド用巻取装置。
【請求項４】
前記開口（５４ｃ）を覆うべく、巻取ドラム（５４）の外周側に前記開口（５４ｃ）を覆う係合部材（５８）が揺動可能に装着されることを特徴とする請求項１記載のブラインド用巻取装置。
【請求項５】
前記巻取ドラム（１４、４４、５４）には、一般部（１４ａ、４４ａ、５４ａ）よりも凹んだ凹部（１４ｂ、４４ｂ、５４ｂ）が設けられており、該凹部（１４ｂ、４４ｂ、５４ｂ）に前記開口（１４ｃ、４４ｃ、５４ｃ）が形成され、凹部（１４ｂ、４４ｂ、５４ｂ）ではない一般部（１４ａ、４４ａ、５４ａ）に前記スリット（１４ｄ、４４ｄ、５４ｄ）が形成され、巻取ドラム（１４、４４、５４）の凹部（１４ｂ、４４ｂ、５４ｂ）の外周側に前記開口（１４ｃ、４４ｃ、５４ｃ）を覆う前記係合部材（１８、４８、５８）が装着されることを特徴とする請求項２ないし４のいずれか１項に記載のブラインド用巻取装置。
【請求項６】
前記開口（２４ｃ、３４ｃ）及びスリット（２４ｄ、３４ｄ）は、前記巻取ドラム（２４、３４）の一端部に形成され、前記昇降コード（１６）の他端は、前記巻取ドラム（２４、３４）の前記一端部と反対側の他端部から、ヘッドボックス（１０）を導出しており、前記スリット（２４ｄ、３４ｄ）は前記開口（２４ｃ、３４ｃ）への連通端よりも他端部側に伸びることを特徴とする請求項１ないし５のいずれか１項に記載のブラインド用巻取装置。
【請求項７】
前記昇降コード（６６）の一端には方向性を有する膨大部（６６ａ）が設けられており、前記開口（６４ｃ）は、前記膨大部（６６ａ）が所定方向でのみ通過可能であることを特徴とする請求項１記載のブラインド用巻取装置。
【発明の詳細な説明】
【０００１】
【発明の属する技術分野】
本発明は、横型ブラインド、ローマンシェードのようなブラインドにおいてブラインド本体の昇降を行うために、昇降コードの一端を巻取ドラムに連結し、巻取ドラムの回転により昇降コードを巻取ドラムに巻取り及び巻解きするようにしたブラインド用巻取装置に関し、特に、その昇降コードの一端の巻取ドラムへの連結を容易にしたブラインド用巻取装置に関する。
【０００２】
【従来の技術】
従来、この種のブラインド用巻取装置では、昇降コードの一端を巻取ドラムに連結するために、図１４及び図１５に示すように、昇降コード１６の一端には、チップをかしめたり、または結び目を作ることによって膨大部１６ａが形成されている。
【０００３】
図１４に示すように、一方の巻取ドラム２００には、その側方端部から伸びるスリット２００ａが形成されている。そして、昇降コード１６を巻取ドラム２００に取り付けるには、まず、図１４（ａ）に示すように、昇降コード１６の膨大部１６ａよりも他端側を巻取ドラム２００の側方端部からスリット２００ａへ通し、巻取ドラム２００の一端部に蓋２０２を装着して、スリット２００ａの開放端部を蓋２０２によって塞いで、昇降コード１６が巻取ドラム２００から抜け出ないようにして、昇降コード１６の一端を巻取ドラム２００に連結し（図１４（ｂ））、次いで、これらをドラムケース２０４に回転自在に支持させて（図１４（ｃ））、そして、巻取ドラム２００を回転させるための回転シャフト２０６を巻取ドラム２００の中心軸上に貫通させて（図１４（ｄ））、ヘッドボックス内に組込む。
【０００４】
または、図１５に示すように、巻取ドラム２１０の周面に、小さな挿通孔２１０ａが形成されており、昇降コード１６に膨大部１６ａを設ける前に、昇降コード１６の一端を挿通孔２１０ａに挿通させた後、昇降コード１６の一端に膨大部１６ａを形成して、昇降コード１６の一端を巻取ドラム２１０に連結するものもある。この後、巻取ドラム２１０の一端部にカバーを装着し、巻取ドラム２１０をドラムケースに回転自在に支持させて、そして、巻取ドラム２１０を回転させるための回転シャフトを巻取ドラム２１０の中心軸上に貫通させて、ヘッドボックス内に組込むのは、図１４の場合と同じである。
【０００５】
【発明が解決しようとする課題】
しかしながら、上記のような図１４及び図１５の従来の巻取装置においては、いずれの場合においても、巻取ドラムがヘッドボックスに組込まれた後に、昇降コードの交換を行うといったメンテナンスの必要が生じた場合に、巻取ドラムがヘッドボックスに組込まれたままの状態でメンテナンスを行うことはできないという問題がある。すなわち、巻取ドラムをヘッドボックスから取り外して、巻取ドラムを貫通している回転シャフトを巻取ドラムから引抜いて、ドラムケースから巻取ドラムを取り外してからでないと、昇降コードの連結を解除したり、または連結させたりすることができない。従って、メンテナンス作業に手間がかかり、煩わしいという問題がある。
【０００６】
または、上記のように手順が決められてしまうために、組立手順の自由度が低く、組立性が悪いという問題がある。
【０００７】
本発明はかかる従来の課題に鑑みなされたもので、巻取ドラムがヘッドボックスに組込まれている状態であっても、簡単に昇降コードの連結及び連結解除作業を行うことができるブラインド用巻取装置を提供することを目的とする。
【０００８】
【課題を解決するための手段】
前述した目的を達成するために、本発明のうち請求項１記載の発明は、ヘッドボックス内で回転自在に支持される巻取ドラムに昇降コードの一端が連結され、ブラインド本体を昇降するべく巻取ドラムの回転により昇降コードを巻取ドラムの周面に巻取り及び巻解きするようにしたブラインド用巻取装置において、
前記昇降コードの一端には膨大部が設けられており、前記巻取ドラムの周面には、前記膨大部が通過可能な開口と、該開口と連通し、且つ膨大部が通過不能で膨大部ではない昇降コードの非膨大部が通過可能なスリットと、からなる連結手段が形成され、前記膨大部がスリットに係止されることで昇降コードが巻取ドラムに連結され、前記連結手段によって巻取ドラムに対してその周面側からまたは径方向の操作により連結・連結解除を行うことができることを特徴とする。
【０００９】
昇降コードの連結・連結解除作業を、巻取ドラムの端部側からではなく、周面側の操作または径方向の操作で行うことができるため、巻取ドラムがヘッドボックス内に組込まれていても、作業を行うことができる。勿論、巻取ドラムがヘッドボックス内に組込まれていない状態でも、昇降コードの連結・連結解除作業を行うことができるため、組立の自由度を上げることができる。
【００１１】
昇降コードを巻取ドラムに連結する際には、昇降コードの膨大部を巻取ドラムの周面に形成された開口に通過させて、膨大部を巻取ドラム内へと移動させた後、開口を挿通する昇降コードの非膨大部を開口からスリットへと移動させて、膨大部をスリットに係止させる。こうして、昇降コードを巻取ドラムに連結することができる。また、昇降コードの巻取ドラムへの連結を解除する場合には、これと反対の操作を行う。昇降コードの膨大部が、巻取ドラムの開口を、外周側からまたは内周側から径方向に通過することができ、巻取ドラムがヘッドボックス内に組込まれていても、作業を行うことができる。
【００１２】
また、請求項２記載の発明は、請求項１記載のものにおいて、前記開口を覆うべく、巻取ドラムの外周側に前記開口を覆う係合部材が着脱可能に装着されることを特徴とする。係合部材で開口を覆うため、昇降コードの膨大部が開口を不用意に通過して、昇降コードが巻取ドラムから外れることを確実に防止することができる。係合部材が着脱可能となっているため、係合部材を取り外して開口を露出させることで、昇降コードの連結または連結解除作業を行うことができる。
【００１３】
また、請求項３記載の発明は、請求項１記載のものにおいて、前記開口を覆うべく、巻取ドラムの外周側に前記開口を覆う係合部材がスライド可能に装着されることを特徴とする。係合部材で開口を覆うため、昇降コードの膨大部が開口を不用意に通過して、昇降コードが巻取ドラムから外れることを確実に防止することができる。係合部材がスライド可能となっているため、係合部材をスライドさせて開口を露出させることで、昇降コードの連結または連結解除作業を行うことができる。
【００１４】
また、請求項４記載の発明は、請求項１記載のものにおいて、前記開口を覆うべく、巻取ドラムの外周側に前記開口を覆う係合部材が揺動可能に装着されることを特徴とする。係合部材で開口を覆うため、昇降コードの膨大部が開口を不用意に通過して、昇降コードが巻取ドラムから外れることを確実に防止することができる。係合部材が揺動可能となっているため、係合部材を揺動させて開口を露出させることで、昇降コードの連結または連結解除作業を行うことができる。
【００１５】
また、請求項５記載の発明は、請求項２ないし４のいずれか１項に記載のものにおいて、前記巻取ドラムには、一般部よりも凹んだ凹部が設けられており、該凹部に前記開口が形成され、凹部ではない一般部に前記スリットが形成され、巻取ドラムの凹部の外周側に前記開口を覆う前記係合部材が装着されることを特徴とする。係合部材は、巻取ドラムの凹部の外周側に装着されるために、巻取ドラムの周囲側から係合部材を操作することができ、巻取ドラムがヘッドボックス内に組込まれていても、昇降コードの連結・連結解除作業を行うことができる。
【００１６】
また、請求項６記載の発明は、請求項１ないし５のいずれか１項に記載のものにおいて、前記開口及びスリットは、前記巻取ドラムの一端部に形成され、前記昇降コードの他端は、前記巻取ドラムの前記一端部と反対側の他端部から、ヘッドボックスを導出しており、前記スリットは前記開口への連通端よりも他端部側に伸びることを特徴とする。昇降コードに常時、ブラインド本体からの荷重が作用している場合には、昇降コードをブラインド本体の方向へと引っ張る張力によって、昇降コードの一端は、他端部側へ、即ち、開口との連通端から離反する方向へと付勢される。従って、開口を特別に係合部材のような部材で覆わなくとも、通常の昇降コードの動作範囲で、昇降コードの膨大部は、開口を不用意に通過して昇降コードが巻取ドラムから外れるといったことを確実に防止することができる。
【００１７】
請求項７記載の発明は、請求項１記載のものにおいて、前記昇降コードの一端には方向性を有する膨大部が設けられており、前記開口は、前記膨大部が所定方向でのみ通過可能であることを特徴とする。
【００１８】
昇降コードを巻取ドラムに連結する際には、昇降コードの膨大部を所定方向に向かせて巻取ドラムの周面に形成された開口に通過させて、膨大部を巻取ドラム内へと移動させた後、膨大部の向きを変化させることにより、開口を通過不能とし、膨大部を開口に係止させる。こうして、昇降コードを巻取ドラムに連結することができる。また、昇降コードの巻取ドラムへの連結を解除する場合には、これと反対の操作を行う。昇降コードの膨大部が、巻取ドラムの開口を、外周側からまたは内周側から径方向に通過することができ、巻取ドラムがヘッドボックス内に組込まれていても、作業を行うことができる。
【００１９】
【発明の実施の形態】
以下、図面を用いて本発明の実施の形態を説明する。図１ないし図３は本発明に係るブラインド用巻取装置の第１実施形態を表す図である。
【００２０】
このブラインド用巻取装置は、ヘッドボックス１０内に設けられたドラムケース１２と、このドラムケース１２に回転自在に支持される巻取ドラム１４と、を備えており、巻取ドラム１４に昇降コード１６の一端が連結される。昇降コード１６の他端は、ブラインド本体（即ち、例えば横型ブラインドでは、ラダーコードで支持されたスラット列及びスラット列の下方に設けられたボトムレールからなり、例えばローマンシェードではスクリーン及びスクリーン下端付近に設けられたウエイトバーからなる）に連結される。
【００２１】
昇降コード１６の一端には、チップをかしめたり、または結び目を作ることによって膨大部１６ａが形成されている。また、巻取ドラム１４には、その外周面に昇降コード１６が巻付けられる一般部１４ａと、一般部１４ａに隣接し、該一般部１４ａに比べて外径が小さくなった凹部１４ｂとが設けられる。凹部１４ｂは、巻取ドラム１４の軸方向の一端部寄りに設けられる。そして、凹部１４ｂ及び一般部１４ａの境界付近において、開口１４ｃと、該開口１４ｃに連続してスリット１４ｄとが形成されている。スリット１４ｄは、開口１４ｃから前記巻取ドラム１４の反一端部である他端部へと向かって伸びている。開口１４ｃは、凹部１４ｂにのみ形成されており、スリット１４ｄは、主として一般部１４ａに形成されている。開口１４ｃは、前記昇降コード１６の膨大部１６ａが通過可能な寸法となっている一方で、一般部１４ａに形成されたスリット１４ｄは膨大部１６ａが通過不能な寸法となっており、これらの開口１４ｃとスリット１４ｄとで昇降コード１６を連結するための連結手段を構成する。
【００２２】
凹部１４ｂには、さらに、係合部材である係合リング１８が着脱可能に装着される。係合リング１８は、横断面がＣ字状のＣ型リングとなっており、従って、径方向に拡大、縮小の弾性変形可能となっており、この弾性を利用して、巻取ドラム１４に対して着脱可能となっている。また、係合リング１８が巻取ドラム１４に装着された状態で、係合リング１８は、巻取ドラム１４の一般部１４ａとほぼ同じ外径となるように設定されている。但し、必ずしも同じ外径となる必要はない。
【００２３】
また、巻取ドラム１４の凹部１４ｂのある側の軸方向の一側部には、蓋２０が装着されており、蓋２０によって巻取ドラム１４の一端部が覆われている。また、蓋２０と巻取ドラム１４とが一体となった組立体は、その両端部が、ドラムケース１２に軸支される。また、巻取ドラム１４がドラムケース１２に組込まれた状態で、ドラムケース１２及び巻取ドラム１４を、回転シャフト２２が貫通しており、回転シャフト２２の回転が巻取ドラム１４に伝達されるようになっている。回転シャフト２２の回転は、直接的にまたは他の任意のクラッチ手段を介して巻取ドラム１４に伝達することができる。そして、ドラムケース１２、巻取ドラム１４及び回転シャフト２２は、ヘッドボックス１０に配設される。
【００２４】
昇降コード１６の巻取ドラム１４への連結は、巻取ドラム１４が任意の状態、例えば、巻取ドラム１４が蓋２０と共にドラムケース１２に取り付けられて、ヘッドボックス１０内に組込まれている状態においても、または巻取ドラム１４にまだ何らの組付けも行っていない状態においても、行うことができる。いずれの状態においても、巻取ドラム１４から係合リング１８を取り外して開口１４ｃを露出させ、昇降コード１６の一端を開口１４ｃに通して、膨大部１６ａに開口１４ｃを通過させて、膨大部１６ａを含む膨大部１６ａよりも一端側を巻取ドラム１４内へと挿入する。次に、昇降コード１６の膨大部１６ａでない非膨大部１６ｂをスリット１４ｄの方へと移動させた後、係合リング１８を巻取ドラム１４に装着する。係合リング１８が装着された後は、開口１４ｃが係合リング１８によって閉塞され、巻取ドラム１４の一般部１４ａにあるスリット１４ｄのみが露出して、その部分を昇降コード１６が通るのみである。昇降コード１６の膨大部１６ａは、その一般部１４ａにあるスリット１４ｄを通過することができず、昇降コード１６が誤って巻取ドラム１４から外れることはない。昇降コード１６の他端は、ドラムケース１２の底面に形成され、巻取ドラム１４の前記他端部近傍にある開口１２ａを通り、また、ヘッドボックス１０に形成された図示しない開口を通り、ブラインド本体の方へと配索される。
【００２５】
昇降コード１６の交換等をするために、昇降コード１６の巻取ドラム１４への連結を解除する場合には、先の手順と反対に係合リング１８を巻取ドラム１４から取り外し、それによって、露出された開口１４ｃに膨大部１６ａを通過させて、昇降コード１６の一端を、巻取ドラム１４の中から取り出すことができる。
【００２６】
以上のように、昇降コード１６の膨大部１６ａが、巻取ドラム１４の開口１４ｃを、外周側からまたは内周側から径方向に通過することができるため、巻取ドラム１４がヘッドボックス１０内に組込まれていても、蓋２０が装着された状態であっても、連結及び連結解除作業を行うことができる。また、係合リング１８は、巻取ドラム１４に着脱可能となっており、その着脱操作を、巻取ドラム１４の端部から軸方向ではなく、同様に、外周側から径方向に行うために、巻取ドラム１４がヘッドボックス１０内に組込まれていても、着脱を行うことができる。
【００２７】
次に、図４は、本発明の第２実施形態を表す図である。図において、第１実施形態と同一の部材は同一の符号を付して、その説明を省略する。
【００２８】
この実施形態では、第１実施形態に対して、係合リング１８が省略されており、この巻取ドラム２４には、凹部は形成されておらず、巻取ドラム２４の周面の一端部寄りに、開口１４ｃと同様の開口２４ｃが形成されており、開口２４ｃよりも他端部寄りに、開口２４ｃに連続してスリット１４ｄと同様のスリット２４ｄが形成されている。スリット２４ｄは、開口２４ｃから前記巻取ドラム２４の反一端部である他端部へと向かって伸びている。
【００２９】
この実施形態において、昇降コード１６の連結は、その膨大部１６ａを開口２４ｃから通過させた後、昇降コード１６の膨大部１６ａでない非膨大部１６ｂをスリット２４ｄへと移動させ、併せて、昇降コード１６の他端を、巻取ドラム２４の他端部近傍にあるドラムケース１２の開口１２ａ及びヘッドボックス１０の開口を通して、ブラインド本体に連結して、終了する。
【００３０】
この実施形態は、昇降コード１６の一端に常時、その巻取ドラム２４の他端部方向のテンションが作用している場合に適している。例えば、昇降コード１６の他端はブラインド本体に取り付けられて、ブラインド本体からの重力が常時作用している場合には、昇降コード１６の一端は、図４（ｂ）に示すように、巻き付かれている状態においても、常に、巻取ドラム２４の一端部から離反する方向、即ち、開口２４ｃから離反する方向へと付勢されている。そのために、昇降コード１６の一端は、通常の動作中に、スリット２４ｄから開口２４ｃへと移動することはない。よって、係合部材等で特別に開口２４ｃを覆わなくとも、昇降コード１６が巻取ドラム２４から不用意に外れることはない。
【００３１】
次に、図５は、本発明の第３実施形態を表す図である。図において、第２実施形態と同一の部材は同一の符号を付して、その説明を省略する。
【００３２】
この実施形態でも、第２実施形態と同様に係合リング１８が省略されており、この巻取ドラム３４には、凹部は形成されておらず、巻取ドラム３４の周面の一端部寄りに、開口１４ｃと同様の開口３４ｃが形成されており、開口３４ｃから連結スリット３４ｅを介して、開口３４ｃに連通するスリット１４ｄと同様のスリット３４ｄが形成されている。スリット３４ｄは、連結スリット３４ｅの連結端よりも巻取ドラム３４の反一端部である他端部へと伸びており、連結スリット３４ｅとスリット３４ｄとは互いに、略直角の角度をなしている。
【００３３】
この実施形態において、昇降コード１６の連結は、第２実施形態と同様に、その膨大部１６ａを開口３４ｃから通過させた後、昇降コード１６の膨大部１６ａでない非膨大部１６ｂを、開口３４ｃから連結スリット３４ｅ、スリット３４ｄへと移動させ、併せて、昇降コード１６の他端を、巻取ドラム３４の他端部寄りにあるドラムケース１２の開口１２ａ及びヘッドボックス１０の開口を通して、ブラインド本体に連結して、終了する。
【００３４】
この実施形態も、昇降コード１６が常時、その巻取ドラム３４の他端部方向のテンションが作用している場合に適しており、さらに、この実施形態では、スリット３４ｄと開口３４ｃとが連結スリット３４ｅを介して連通しており、しかも連結スリット３４ｅはスリット３４ｄに対して直角となっているため、昇降コード１６が誤って、スリット３４ｄから開口３４ｃへと移動することが、一層確実に防止される。
【００３５】
次に、図６は、本発明の第４実施形態を表す図である。図において、第１実施形態と同一の部材は同一の符号を付して、その説明を省略する。
【００３６】
この実施形態では、係合リング４８が巻取ドラム４４に対してスライド可能となっている点で、第１実施形態と異なっている。すなわち、巻取ドラム４４には、その外周面に昇降コード１６が巻付けられる一般部４４ａと、一般部４４ａに隣接し、該一般部４４ａに比べて外径が小さくなった凹部４４ｂとが設けられる。凹部４４ｂは、巻取ドラム４４の軸方向の一端部寄りに設けられている。係合リング４８は、巻取ドラム４４の凹部４４ｂ内を巻取ドラム４４の軸方向にスライド可能となっている。また、凹部４４ｂの中でも、他端部寄りには、その外周面に複数の小突起４４ｅが形成されており、係合リング４８の内周面に摺接して、係合リング４８が凹部４４ｂの他端側寄りにおいて、容易にはスライドしないようになっている。
【００３７】
凹部４４ｂ及び一般部４４ａの境界付近において、開口４４ｃと、該開口４４ｃに連続してスリット４４ｄとが形成されている。開口４４ｃは、凹部４４ｂにのみ形成されており、スリット４４ｄは、主として一般部４４ａに形成されている。開口４４ｃは、前記昇降コード１６の膨大部１６ａが通過可能な寸法となっており、一方、一般部４４ａに形成されたスリット４４ｄは膨大部１６ａが通過不能な寸法となっている。
【００３８】
この実施形態において、昇降コード１６の巻取ドラム４４への連結は、係合リング４８を巻取ドラム４４の凹部４４ｂ内で一端部側へとスライド移動させて、開口４４ｃのスリット４４ｄと連通した側を露出させて、昇降コード１６の一端を開口４４ｃに通して、膨大部１６ａに開口４４ｃを通過させて、膨大部１６ａを含む膨大部１６ａよりも一端側を巻取ドラム４４内へと挿入する。次に、昇降コード１６の膨大部１６ａでない非膨大部１６ｂをスリット４４ｄの方へと移動させた後、係合リング４８を凹部４４ｂ内で他端部側へとスライド移動させて、そこで小突起４４ｅと摺接させて固定させる。係合リング４８が固定された後は、開口４４ｃのスリット４４ｄと連通した部分は、係合リング４８によって閉塞され、巻取ドラム４４の一般部４４ａにあるスリット４４ｄ部分を昇降コード１６が通るのみである。よって、昇降コード１６の膨大部１６ａは、その一般部４４ａにあるスリット４４ｄを通過することができず、昇降コード１６が誤って巻取ドラム４４から外れることはない。昇降コード１６の他端は、ドラムケース１２の底面に形成された開口１２ａを通り、また、ヘッドボックス１０に形成された図示しない開口を通り、ブラインド本体の方へと配索される。
【００３９】
昇降コード１６の交換等をするために、昇降コード１６の巻取ドラム４４からの連結を解除する場合には、先の手順と反対に係合リング４８を巻取ドラム４４の凹部４４ｂ内で一端部側へとスライド移動させて、それによって、露出された開口４４ｃに膨大部１６ａを通過させて、昇降コード１６の一端を、巻取ドラム４４の中から取り出すことができる。
【００４０】
この実施形態においても、係合リング４８が巻取ドラム４４に対してスライド可能となっており、このスライド操作を、巻取ドラム４４の外周側から行うことができるために、巻取ドラム４４がヘッドボックス１０内に組込まれていても、着脱を行うことができる。
【００４１】
次に、図７は、本発明の第５実施形態を表す図である。図において、第１実施形態と同一の部材は同一の符号を付して、その説明を省略する。
【００４２】
この実施形態では、係合部材５８が巻取ドラム５４に対して揺動可能となっている点で、第１実施形態と異なっている。すなわち、巻取ドラム５４には、その外周面に昇降コード１６が巻付けられる一般部５４ａと、一般部５４ａに隣接し、該一般部５４ａに比べて凹んだ凹部５４ｂとが設けられる。凹部５４ｂは、巻取ドラム５４の軸方向の一端部寄りに設けられている。係合部材５８の一端は、巻取ドラム５４にヒンジを介して連結されており、係合部材５８の他端側は巻取ドラム５４の凹部５４ｂを補填するように、揺動可能となっている。また、巻取ドラムの凹部５４ｂ内または係合部材５８には、巻取ドラム５４または係合部材５８と摺接する小突起（図示省略）を設けると良く、係合部材５８は凹部５４ｂ内からは、容易には揺動して突出しないようになっている。
【００４３】
凹部５４ｂ及び一般部５４ａの境界付近において、開口５４ｃと、該開口５４ｃに連続してスリット５４ｄとが形成されている。開口５４ｃは、凹部５４ｂにのみ形成されており、スリット５４ｄは、主として一般部５４ａに形成されている。開口５４ｃは、前記昇降コード１６の膨大部１６ａが通過可能な寸法となっており、一方、一般部５４ａに形成されたスリット５４ｄは膨大部１６ａが通過不能な寸法となっている。この開口５４ｃとスリット５４ｄとで昇降コード１６を連結するための連結手段を構成する。
【００４４】
この実施形態において、昇降コード１６の巻取ドラム５４への連結は、係合部材５８を巻取ドラム５４の凹部５４ｂ内から揺動させて、開口５４ｃを露出させて、昇降コード１６の一端を開口５４ｃに通して、膨大部１６ａに開口５４ｃを通過させて、膨大部１６ａを含む膨大部１６ａよりも一端側を巻取ドラム５４内へと挿入する。次に、昇降コード１６の膨大部１６ａでない非膨大部１６ｂをスリット５４ｄの方へと移動させた後、係合部材５８を凹部５４ｂ内へと揺動させてそこで小突起と摺接させて固定させる。係合部材５８が固定された後は、開口５４ｃのスリット５４ｄと連通した部分は、係合部材５８によって閉塞され、巻取ドラム５４の一般部５４ａにあるスリット５４ｄ部分を昇降コード１６が通るのみである。よって、昇降コード１６の膨大部１６ａは、その一般部４４ａにあるスリット５４ｄを通過することができず、昇降コード１６が誤って巻取ドラム５４から外れることはない。昇降コード１６の他端は、ドラムケース１２の底面に形成された開口１２ａを通り、また、ヘッドボックス１０に形成された図示しない開口を通り、ブラインド本体の方へと配索される。
【００４５】
昇降コード１６の交換等をするために、昇降コード１６の巻取ドラム５４からの連結を解除する場合には、先の手順と反対に係合部材５８を巻取ドラム５４の凹部５４ｂ内から揺動させて、それによって、露出された開口５４ｃに膨大部１６ａを通過させて、昇降コード１６の一端を、巻取ドラム５４の中から取り出すことができる。
【００４６】
この実施形態においても、係合部材５８が巻取ドラム５４に対して揺動可能となっており、この揺動操作を、巻取ドラム５４の外周側から行うことができるために、巻取ドラム５４がヘッドボックス１０内に組込まれていても、着脱を行うことができる。
【００４７】
次に、図８は、本発明の第６実施形態を表す図である、図において、第１実施形態と同一の部材は同一の符号を付して、その説明を省略する。
【００４８】
この実施形態では、巻取ドラム６４の周面に、方向性をもった形状であるＴ字形の開口６４ｃが形成されており、該開口６４ｃが昇降コード６６を連結するための連結手段を構成する。一方、昇降コード６６の一端には、プラスチックよりなるチップが一体的に設けられており、このチップには、方向性をもった形状となった、この例では直方形の膨大部６６ａが形成されており、膨大部６６ａから若干離れて、膨大部６６ａと９０度直交する直方形の第２膨大部６６ｃが形成されており、膨大部６６ａと第２膨大部６６ｃとの間に首部６６ｂが形成されている。
【００４９】
この実施形態において、昇降コード６６の巻取ドラム６４への連結は次のように行う。膨大部６６ａとＴ字形の開口６４ｃの頂辺のそれぞれの方向を一致させた状態で、膨大部６６ａに開口６４ｃを通過させて、膨大部６６ａを巻取ドラム６４内へと挿入する。次に、チップを９０度捻り、首部６６ｂをＴ字形の開口６４ｃの直交する辺部分へと移動させると、膨大部６６ａ及び第２膨大部６６ｃが開口６４ｃを通過することができず、昇降コード６６が誤って巻取ドラム６４から外れることはない。昇降コード６６の他端は、ドラムケース１２の底面に形成された開口１２ａを通り、また、ヘッドボックス１０に形成された図示しない開口を通り、ブラインド本体の方へと配索される。
【００５０】
昇降コード６６の交換等をするために、昇降コード６６の巻取ドラム６４からの連結を解除する場合には、先の手順と反対にチップを捻ると共に膨大部６６ａをＴ字形の開口６４ｃの頂辺部分へと移動させて、その部分から膨大部６６ａを通過させて、昇降コード６６の一端を、巻取ドラム６４の中から取り出すことができる。
【００５１】
この実施形態においても、昇降コード６６の膨大部６６ａが、巻取ドラム６４の開口６４ｃを、外周側からまたは内周側から径方向に通過することができるため、巻取ドラム６４がヘッドボックス１０内に組込まれていても、さらに蓋２０が装着された状態であっても、昇降コード６６の連結及び連結解除作業を行うことができる。
【００５２】
次に、図９は、本発明の第７実施形態を表す図である、図において、第１実施形態と同一の部材は同一の符号を付して、その説明を省略する。
【００５３】
この実施形態では、巻取ドラム７４の周面に弾性変形可能な係止フック７４ｃが設けられており、係止フック７４ｃには、係止部７４ｄが設けられる。係止部７４ｄは、通常時は、巻取ドラム７４の周面と共に閉じた空間を形成し、この閉じた空間の寸法は、昇降コード１６の膨大部１６ａが通過不能な寸法となっている。この係止フック７４ｃが昇降コード１６を連結するための連結手段を構成する。
【００５４】
この実施形態において、昇降コード１６の巻取ドラム７４への連結は、係止フック７４ｃを変形させて、係止部７４ｄと巻取ドラム７４の周面との間に隙間を形成して、その隙間から昇降コード１６の非膨大部１６ｂを通過させて、係止部７４ｄに膨大部１６ａを係止させる。昇降コード１６の他端は、ドラムケース１２の底面に形成された開口１２ａを通り、また、ヘッドボックス１０に形成された図示しない開口を通り、ブラインド本体の方へと配索される。
【００５５】
昇降コード１６の交換等をするために、昇降コード１６の巻取ドラム７４からの連結を解除する場合には、先の手順と反対に昇降コード１６の非膨大部１６ｂを係止部７４ｄと巻取ドラム７４の周面との間の隙間から脱出させて、昇降コード１６の一端を、巻取ドラム７４から取り外すことができる。
【００５６】
この実施形態においても、係止フック７４ｃが巻取ドラム７４の周面に形成されているために、巻取ドラム７４がヘッドボックス１０内に組込まれていても、さらに蓋２０が装着された状態であっても、昇降コード１６の連結及び連結解除作業を行うことができる。
【００５７】
次に、図１０は、本発明の第８実施形態を表す図である、図において、第１実施形態と同一の部材は同一の符号を付して、その説明を省略する。
【００５８】
この実施形態では、巻取ドラム８４の周面に可撓性のテープ部材８４ｃの一端が固着されており、テープ部材８４ｃの他端の巻取ドラム８４に面する面は、面ファスナとなっている。一方、巻取ドラム８４の周面には、テープ部材８４ｃに対向して、被取付テープ部材８４ｄが完全に固着されており、被取付テープ部材８４ｄのテープ部材８４ｃに対向した面は、テープ部材８４ｃの面ファスナと係合する面ファスナとなっており、テープ部材８４ｃと被取付テープ部材８４ｄとは、接合・分離可能となっている。このテープ部材８４ｃ及び被取付テープ部材８４ｄが昇降コード１６を連結するための連結手段を構成する。
【００５９】
この実施形態において、昇降コード１６の巻取ドラム８４への連結は、テープ部材８４ｃの他端を一旦、被取付テープ部材８４ｄから分離させて、テープ部材８４ｃと被取付テープ部材８４ｄとの間で昇降コード１６の非膨大部１６ｂを挟んで、テープ部材８４ｃの他端の面ファスナを被取付テープ部材８４ｄの面ファスナに係合して、膨大部１６ａをテープ部材８４ｃと被取付テープ部材８４ｄの接合部に係止させる。昇降コード１６の他端は、ドラムケース１２の底面に形成された開口１２ａを通り、また、ヘッドボックス１０に形成された図示しない開口を通り、ブラインド本体の方へと配索される。
【００６０】
昇降コード１６の交換等をするために、昇降コード１６の巻取ドラム８４からの連結を解除する場合には、先の手順と反対にテープ部材８４ｃの他端を被取付テープ部材８４ｄから剥がして、昇降コード１６の非膨大部１６ｂの挟着を解除して行うことができる。
【００６１】
この実施形態においても、テープ部材８４ｃが巻取ドラム８４の周面に設けられるために、巻取ドラム８４がヘッドボックス１０内に組込まれていても、及び蓋２０が装着された状態であっても、昇降コード１６の連結及び連結解除作業を行うことができる。
【００６２】
なお、この実施形態では、面ファスナによってテープ部材８４ｃと被取付テープ部材８４ｄとを接合したが、これに限るものではなく、粘着力等の任意の接合力のあるテープ部材８４ｃによっても同様に行うことができる。
【００６３】
次に、図１１は、本発明の第９実施形態を表す図である、図において、第１実施形態と同一の部材は同一の符号を付して、その説明を省略する。
【００６４】
この実施形態では、巻取ドラム９４の周面に、一般部９４ａから縮径された凹部９４ｃが形成されている。一方、昇降コード９６の一端には、フック部９６ａが一体的に連結されている。凹部９４ｃは、このフック部９６が収容可能となっており、連結手段を構成する。
【００６５】
この実施形態において、昇降コード９６の巻取ドラム９４への連結は、フック部９６ａを凹部９４ｃに収容させると同時に、昇降コード９６のフック部９６ａ以外の非フック部９６ｂを凹部９４ｃの周囲に巻いた後、フック部９６ａに引っ掛ける。フック部９６ａが凹部９４ｃに収容されてその移動が制限されることで、昇降コード９６を巻取ドラム９４に連結することができる。昇降コード９６の他端は、ドラムケース１２の底面に形成された開口１２ａを通り、また、ヘッドボックス１０に形成された図示しない開口を通り、ブラインド本体の方へと配索される。
【００６６】
昇降コード９６の交換等をするために、昇降コード９６の巻取ドラム９４からの連結を解除する場合には、先の手順と反対にフック部９６ａから非フック部９６ｂの引っ掛けを解除する。
【００６７】
この実施形態においても、凹部９４ｃが巻取ドラム９４の周面に設けられるために、巻取ドラム９４がヘッドボックス１０内に組込まれていても、さらに蓋２０が装着された状態であっても、昇降コード９６の連結及び連結解除作業を行うことができる。
【００６８】
次に、図１２は、本発明の第１０実施形態を表す図である、図において、第１実施形態と同一の部材は同一の符号を付して、その説明を省略する。
【００６９】
この実施形態では、巻取ドラム１０４の周面に、被コネクタ部である受部１０４ｃが形成されている。一方、昇降コード１０６の一端には、弾性変形可能なコネクタ部１０６ａが一体的に連結されている。受部１０４ｃとコネクタ部１０６ａとは連結可能となっており、この受部１０４ｃが昇降コード１０６を連結するための連結手段を構成する。
【００７０】
この実施形態において、昇降コード１０６の巻取ドラム１０４への連結は、コネクタ部１０６ａを受部１０４ｃに押し込むことで、コネクタ部１０６ａの弾性片が、受部１０４ｃに係止し、昇降コード１０６を巻取ドラム１０４に連結することができる。昇降コード１０６の他端は、ドラムケース１２の底面に形成された開口１２ａを通り、また、ヘッドボックス１０に形成された図示しない開口を通り、ブラインド本体の方へと配索される。
【００７１】
昇降コード１０６の交換等をするために、昇降コード１０６の巻取ドラム１０４からの連結を解除する場合には、コネクタ部１０６ａの弾性片を変形させて、受部１０４への係止を解除する。
【００７２】
この実施形態においても、受部１０４ｃが巻取ドラム１０４の周面に設けられるために、巻取ドラム１０４がヘッドボックス１０内に組込まれていても、蓋２０が装着された状態であっても、昇降コード１０６の連結及び連結解除作業を行うことができる。
【００７３】
なお、昇降コード１０６のコネクタ部１０６ａを受部とし、巻取ドラム１０４の被コネクタ部１０４ｃを弾性変形可能な部材とすることも勿論可能である。
【００７４】
次に、図１３は、本発明の第１１実施形態を表す図である、図において、第１実施形態と同一の部材は同一の符号を付して、その説明を省略する。
【００７５】
この実施形態では、巻取ドラム１１４が、複数のこの例では２つの径方向に分離可能に結合するドラム部品１１４Ａ、１１４Ｂから構成される。一方のドラム部品１１４Ａの突起と他方のドラム部品１１４Ｂの凹部が係合して、略円筒形の巻取ドラム１１４が構成されると同時に、これらの２つのドラム部品１１４Ａ及び１１４Ｂは昇降コード１６を連結するための連結手段を構成する。
【００７６】
この実施形態において、昇降コード１６の巻取ドラム１１４への連結は、複数のドラム部品１１４Ａと１１４Ｂとを径方向に分離させて、複数のドラム部品１１４Ａと１１４Ｂとの間で昇降コード１６の非膨大部１６ｂを挟んで、ドラム部品１１４Ａと１１４Ｂとを結合して、膨大部１６ａを複数のドラム部品１１４Ａと１１４Ｂの結合部に係止させる。昇降コード１６の他端は、ドラムケース１２の底面に形成された開口１２ａを通り、また、ヘッドボックス１０に形成された図示しない開口を通り、ブラインド本体の方へと配索される。
【００７７】
昇降コード１６の交換等をするために、昇降コード１６の巻取ドラム１１４からの連結を解除する場合には、先の手順と反対に複数のドラム部品１１４Ａ、１１４Ｂを分離して、昇降コード１６の非膨大部１６ｂの挟着を解除する。
【００７８】
この実施形態においても、各ドラム部品１１４Ａ、１１４Ｂは、巻取ドラム１１４の径方向にそれぞれ分離可能となるために、巻取ドラム１１４がヘッドボックス１０内に組込まれていても、さらに蓋２０が装着された状態であっても、昇降コード１６の連結及び連結解除作業を行うことができる。
【００７９】
【発明の効果】
以上説明したように本発明によれば、巻取ドラムがヘッドボックスに組込まれている状態であっても、組込まれていない状態であっても、簡単に昇降コードの連結及び連結解除作業を行うことができ、昇降コードのメンテナンス作業が簡単にでき、また、組立の自由度を上げることができる。
【図面の簡単な説明】
【図１】本発明のブラインド用巻取装置の第１実施形態を表す、昇降コードが巻取ドラムに連結される前の状態を表す斜視図である。
【図２】本発明のブラインド用巻取装置の第１実施形態を表す、昇降コードが巻取ドラムに連結された状態を表す斜視図である。
【図３】巻取ドラムのスリットと開口とを表す拡大図である。
【図４】本発明のブラインド用巻取装置の第２実施形態を表す図であり、（ａ）は昇降コードが巻取ドラムに連結された状態を表す斜視図、（ｂ）は昇降コードが巻取ドラムに巻き付かれている状態を表す斜視図である。
【図５】本発明のブラインド用巻取装置の第３実施形態を表す昇降コードが巻取ドラムに連結された状態を表す斜視図である。
【図６】本発明のブラインド用巻取装置の第４実施形態を表す図であり、（ａ）は昇降コードが巻取ドラムに連結される途中状態を表す斜視図、（ｂ）は昇降コードが巻取ドラムに連結された状態を表す斜視図である。
【図７】本発明のブラインド用巻取装置の第５実施形態を表す斜視図であり、（ａ）は昇降コードが巻取ドラムに連結される途中状態を表す斜視図、（ｂ）は昇降コードが巻取ドラムに連結された状態を表す斜視図である。
【図８】本発明のブラインド用巻取装置の第６実施形態を表す斜視図であり、（ａ）は昇降コードが巻取ドラムに連結される途中状態を表す斜視図、（ｂ）は昇降コードが巻取ドラムに連結された状態を表す斜視図である。
【図９】本発明のブラインド用巻取装置の第７実施形態を表す斜視図であり、（ａ）は昇降コードが巻取ドラムに連結される途中状態を表す斜視図、（ｂ）は昇降コードが巻取ドラムに連結された状態を表す斜視図である。
【図１０】本発明のブラインド用巻取装置の第８実施形態を表す斜視図であり、（ａ）は昇降コードが巻取ドラムに連結される途中状態を表す斜視図、（ｂ）は昇降コードが巻取ドラムに連結された状態を表す斜視図である。
【図１１】本発明のブラインド用巻取装置の第９実施形態を表す斜視図であり、（ａ）は昇降コードが巻取ドラムに連結される途中状態を表す斜視図、（ｂ）は昇降コードが巻取ドラムに連結された状態を表す斜視図である。
【図１２】本発明のブラインド用巻取装置の第１０実施形態を表す斜視図であり、（ａ）は昇降コードが巻取ドラムに連結される途中状態を表す斜視図、（ｂ）は昇降コードが巻取ドラムに連結された状態を表す斜視図である。
【図１３】本発明のブラインド用巻取装置の第１１実施形態を表す斜視図であり、（ａ）は昇降コードが巻取ドラムに連結される途中状態を表す斜視図、（ｂ）は昇降コードが巻取ドラムに連結された状態を表す斜視図である。
【図１４】（ａ）から（ｄ）は従来のブラインド用巻取装置における昇降コードの連結手順を表す図である。
【図１５】従来の他のブラインド用巻取装置を表す説明斜視図である。
【符号の説明】
１０  ヘッドボックス
１４、２４、３４、４４、５４、６４、７４、８４、９４、１０４、１１４  巻取ドラム
１４ａ、４４ａ、５４ａ  一般部
１４ｂ、４４ｂ、５４ｂ  凹部
１４ｃ、２４ｃ、３４ｃ、４４ｃ、５４ｃ、６４ｃ  開口
１４ｄ、２４ｄ、３４ｄ、４４ｄ、５４ｄ  スリット
１６、６６、９６、１０６  昇降コード
１６ａ、６６ａ  膨大部
１６ｂ  非膨大部
１８、４８  係合リング（係合部材）
５８  係合部材
７４ｃ  係止フック
７４ｄ  係止部
８４ｃ  テープ部材
９４ｃ  凹部
９６ａ  フック部
９６ｂ  非フック部
１０４ｃ  非コネクタ部
１０６ａ  コネクタ部
１１４Ａ、１１４Ｂ  ドラム部品
【図１】
0003691388.tif 000002
【図２】
0003691388.tif 000003
【図３】
0003691388.tif 000004
【図４】
0003691388.tif 000005
【図５】
0003691388.tif 000006
【図６】
0003691388.tif 000007
【図７】
0003691388.tif 000008
【図８】
0003691388.tif 000009
【図９】
0003691388.tif 000010
【図１０】
0003691388.tif 000011
【図１１】
0003691388.tif 000012
【図１２】
0003691388.tif 000013
【図１３】
0003691388.tif 000014
【図１４】
0003691388.tif 000015
【図１５】
0003691388.tif 000016